(57)【要約】      （修正有）【課題】簡便な上、食材を均一に加熱させることが可能な焼肉用コンロを提供する。【解決手段】第１の歯部が周縁に設けられた歯車１１を有し、歯車１１に貫設させることが可能で螺接部材１４１が螺接された回転軸１４を有するモータが底部に設けられた枠体１と、モータの回転軸１４上に固定され、凹溝が設けられた位置決め部材が上面に設けられた回転ベース２と、回転ベース２の位置決め部材上に配置され、歯車１１の第１の歯部と噛み合わされた第２の歯部３１が周縁に設けられ、第１の差込孔３２が前縁に設けられ、位置決め部３４が後縁に設けられている回転ユニット３と、を備える。【選択図】図１
0003148377.tif 000002
【実用新案登録請求の範囲】
【請求項１】
第１の歯部が周縁に設けられた歯車を有し、前記歯車に貫設させることが可能で螺接部材が螺接された回転軸を有するモータが底部に設けられた枠体と、
前記モータの前記回転軸上に固定され、凹溝が設けられた位置決め部材が上面に設けられた回転ベースと、
前記回転ベースの前記位置決め部材上に配置され、前記歯車の前記第１の歯部と噛み合わされた第２の歯部が周縁に設けられ、第１の差込孔が前縁に設けられ、位置決め部が後縁に設けられている回転ユニットと、を備えることを特徴とする焼肉用コンロ。
【請求項２】
前記枠体の内側底部には、栓が挿入されている排水孔を有する水受け槽が設けられていることを特徴とする請求項１に記載の焼肉用コンロ。
【請求項３】
前記枠体の内側底部には、下方に支脚を有する網が設けられていることを特徴とする請求項１に記載の焼肉用コンロ。
【請求項４】
前記枠体の底部外縁には、脚が端部に挿設されたリンク部材が枢着されていることを特徴とする請求項１に記載の焼肉用コンロ。
【請求項５】
前記枠体は、頂縁に透孔を有するトップカバーにより上側が覆われ、前記トップカバーには、前記透孔の箇所に挟持部材が固設され、前記挟持部材は、前記回転軸に外嵌された延長アーム上に挟持されることを特徴とする請求項１に記載の焼肉用コンロ。
【請求項６】
前記回転ベースは、外側に延伸された支持アームを有し、前記支持アームの端部両側から支持端部が延伸されて設けられていることを特徴とする請求項１に記載の焼肉用コンロ。
【請求項７】
前記回転ベースの中心箇所には、前記回転軸を貫設させるために用いる貫通孔が設けられていることを特徴とする請求項１に記載の焼肉用コンロ。
【請求項８】
前記回転ベース上には、前記位置決め部材を差し込むために用いる差込部が設けられていることを特徴とする請求項１に記載の焼肉用コンロ。
【請求項９】
前記第１の差込孔は、方形状であることを特徴とする請求項１に記載の焼肉用コンロ。
【請求項１０】
前記回転ユニットは、第２の差込孔が前縁に設けられていることを特徴とする請求項１に記載の焼肉用コンロ。
【請求項１１】
テーブル板が配置されたリンク部材をさらに備えることを特徴とする請求項１に記載の焼肉用コンロ。
【考案の詳細な説明】
【技術分野】
【０００１】
本考案は、焼肉用コンロに係り、特にモータで歯車を回転させ、歯車に対応して回転する回転ユニットにより食材を均一に加熱させることができる焼肉用コンロに関する。
【背景技術】
【０００２】
従来の焼肉用コンロは、メッシュ状の金属網上に食材を置き、金属網の下方から炭火で食材を焼いていたが、食材が焦げないように、手作業により常にひっくり返す必要があった。そのため、手間がかかる上、食材の加熱が不均一となることがあった。
【０００３】
そのため、簡便な上、食材を均一に加熱させることができる焼肉用コンロが求められていた。
【考案の開示】
【考案が解決しようとする課題】
【０００４】
そこで、本考案の目的は、簡便な上、食材を均一に加熱させることが可能な焼肉用コンロを提供することにある。
【課題を解決するための手段】
【０００５】
第１の考案は、第１の歯部が周縁に設けられた歯車を有し、前記歯車に貫設させることが可能で螺接部材が螺接された回転軸を有するモータが底部に設けられた枠体と、前記モータの前記回転軸上に固定され、凹溝が設けられた位置決め部材が上面に設けられた回転ベースと、前記回転ベースの前記位置決め部材上に配置され、前記歯車の前記第１の歯部と噛み合わされた第２の歯部が周縁に設けられ、第１の差込孔が前縁に設けられ、位置決め部が後縁に設けられている回転ユニットと、を備えることを特徴とする焼肉用コンロである。
【０００６】
第２の考案は、上記第１の考案に記載の焼肉用コンロであって、前記枠体の内側底部には、栓が挿入されている排水孔を有する水受け槽が設けられていることを特徴とする焼肉用コンロである。
【０００７】
第３の考案は、上記第１の考案に記載の焼肉用コンロであって、前記枠体の内側底部には、下方に支脚を有する網が設けられていることを特徴とする焼肉用コンロである。
【０００８】
第４の考案は、上記第１の考案に記載の焼肉用コンロであって、前記枠体の底部外縁には、脚が端部に挿設されたリンク部材が枢着されていることを特徴とする焼肉用コンロである。
【０００９】
第５の考案は、上記第１の考案に記載の焼肉用コンロであって、前記枠体は、頂縁に透孔を有するトップカバーにより上側が覆われ、前記トップカバーには、前記透孔の箇所に挟持部材が固設され、前記挟持部材は、前記回転軸に外嵌された延長アーム上に挟持されることを特徴とする焼肉用コンロである。
【００１０】
第６の考案は、上記第１の考案に記載の焼肉用コンロであって、前記回転ベースは、外側に延伸された支持アームを有し、前記支持アームの端部両側から支持端部が延伸されて設けられていることを特徴とする焼肉用コンロである。
【００１１】
第７の考案は、上記第１の考案に記載の焼肉用コンロであって、前記回転ベースの中心箇所には、前記回転軸を貫設させるために用いる貫通孔が設けられていることを特徴とする焼肉用コンロである。
【００１２】
第８の考案は、上記第１の考案に記載の焼肉用コンロであって、前記回転ベース上には、前記位置決め部材を差し込むために用いる差込部が設けられていることを特徴とする焼肉用コンロである。
【００１３】
第９の考案は、上記第１の考案に記載の焼肉用コンロであって、前記第１の差込孔は方形状であることを特徴とする焼肉用コンロである。
【００１４】
第１０の考案は、上記第１の考案に記載の焼肉用コンロであって、前記回転ユニットは、第２の差込孔が前縁に設けられていることを特徴とする焼肉用コンロである。
【００１５】
第１１の考案は、上記第１の考案に記載の焼肉用コンロであって、テーブル板が配置されたリンク部材をさらに備えることを特徴とする焼肉用コンロである。
【考案の効果】
【００１６】
上述したことから分かるように、本考案の焼肉用コンロは、以下の効果を有する。
（１）歯車に対応して回転する回転ユニットを利用し、回転ユニット上で食材が串刺しされている串を、絶えず連続的に回転させることができる。そのため、食材を加熱させるときに炭火の熱が１か所だけに集中されずに、均一に加熱させることができる。
【００１７】
（２）枠体の水受け槽に水を注入してから網部を設置し、その網部上に木炭を置くため、燃焼時の通気性を向上させることができるとともに、上方から垂れてくる肉の脂、木炭のカスなどを水受け槽により受けることができる。
【００１８】
（３）枠体上をトップカバーで覆うことにより、食材に埃がかかることを防ぐとともに保温効果を提供するため、衛生的で料理にかかる時間を短縮させることができる。
【００１９】
（４）焼肉用コンロを長期間使用しないときは、リンク部材上のテーブル板を取り外し、枠体外縁部に配置されたリンク部材と支脚とを分解し、リンク部材を内側に向かって折り畳んで収納することができるため、占有空間を小さくすることができる。
【考案を実施するための最良の形態】
【００２０】
以下に、本考案を実施するための最良の形態の実施例について、図面を用いて説明する。
【００２１】
図１〜図３に示すように、本考案の一実施形態による焼肉用コンロは、枠体１、回転ベース２および回転ユニット３を含む。
【００２２】
枠体１の内側には、歯車１１が突設されている。この歯車１１の周縁には、第１の歯部１２が設けられている。枠体１の外側底部には、外付け可能な電源であるモータ１３が固設されている。このモータ１３は、歯車１１に貫設された回転軸１４を有する。回転軸１４上には、螺接部材１４１が螺接されている。枠体１の内側底部には、栓１５２が挿入されている排水孔１５１が設けられた水受け槽１５が形成されている。水受け槽１５の内側には、扇形状の網１６が配置され、これら網１６の下方には支脚１６１が配置されている。また、枠体１の底部の外縁部には、複数のリンク部材１７が枢着されており、これらリンク部材１７の端部には、脚１８が垂直に挿設されている。また、リンク部材１７上には、物品を置くために用いるテーブル板１７１が配置されている。枠体１の上は、トップカバー１９により覆うことができる。このトップカバー１９は、頂縁部に透孔１９１が設けられ、トップカバー１９の透孔１９１の箇所には、延長アーム１９３を挟持するために用いる挟持部材１９２が固設されている。延長アーム１９３は、回転軸１４に外嵌され、トップカバー１９の透孔１９１に貫設させることができる。これにより、延長アーム１９３上のトップカバー１９の高さを調整することができる。
【００２３】
回転ベース２は、モータ１３の回転軸１４上に固定されている。回転ベース２には、外側に延伸された複数の支持アーム２１が設けられている。これら支持アーム２１の端部両側には、支持端部２１１が延伸されて設けられている。回転ベース２は、貫通孔２２が中心箇所に設けられ、複数の差込部２３が周縁部に設けられている。これら差込部２３には、Ｕ字状の凹溝２５が上側に設けられた位置決め部材２４が挿設されている。
【００２４】
回転ユニット３は、回転ベース２の位置決め部材２４上に配置されている。この回転ユニット３は、歯車状であり、第２の歯部３１が周縁部に設けられている。そして、この回転ユニット３は、歯車１１の第１の歯部１２と、垂直に噛み合わされている（図４に示す）。回転ユニット３は、方形状の第１の差込孔３２が前端部の中心箇所に設けられ、第２の差込孔３３が第１の差込孔３２の両側にそれぞれ設けられ、くびれ状の位置決め部３４が後端部に接続されている。
【００２５】
図１、図２、図４および図５に示すように、本考案の一実施形態による焼肉用コンロを製作する際は、枠体１の歯車１１上に回転ベース２を配置し、モータ１３の回転軸１４を貫通孔２２に貫設させた後に、螺接部材１４１により回転ベース２に回転軸１４を固着させる。そして、各位置決め部材２４を差込部２３に順次挿置させてから、回転ユニット３の位置決め部３４を位置決め部材２４の凹溝２５上に配置させると、回転ユニット３の周縁部に設けられた第２の歯部３１と、歯車１１上の第１の歯部１２とを互いに垂直に噛み合わせることができる。そのため、回転ユニット３を歯車１１により回転させることができるようになり、枠体１の水受け槽１５の内側に網１６を配列してから、回転軸１４に延長アーム１９３を外嵌させる。また、トップカバー１９の頂縁部に設けられた透孔１９１は、延長アーム１９３を貫設されるために用い、延長アーム１９３の所望の箇所で挟持部材１９２を挟持し、トップカバー１９の高さを延長アーム１９３上で調整することができる。そのため、コンロ内部の確認や、コンロ内に炭火を入れたりすることを簡便に行うことができる。
【００２６】
図４〜図６に示すように、本考案の一実施形態による焼肉用コンロを使用する際は、網１６上に木炭Ａを置いて点火し、適量の水Ｂが注入された枠体１底部の水受け槽１５により、上方から垂れてくる肉の脂、木炭Ａのカスなどを受ける。その後、食材Ｃが串刺しされている直線状の串Ｄは、一方の端部を回転ユニット３の第１の差込孔３２に差し込み（Ｙ字状の串を使用する場合、２つの端部をそれぞれ第２の差込孔３３に差し込む。）、他方の端部を支持アーム２１の支持端部２１１上に配置させる。そして、モータ１３の駆動により、回転軸１４が回転ベース２を回転させる。回転ベース２が回転すると、歯車１１上で回転ユニット３が噛み合わされて回転し、位置決め部材２４の凹溝２５の中心点を軸心として用い、位置決め部材２４上で回転ユニット３を回転させることができる。そして、回転ユニット３の回転により、第１の差込孔３２に差し込まれた串Ｄが回転する。そのため、食材Ｃは、木炭Ａの上方で一定速度で回転され、均一に加熱される。
【００２７】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００２８】
【図１】本考案の一実施形態による焼肉用コンロを示す斜視図である。
【図２】本考案の一実施形態による焼肉用コンロを示す断面図である。
【図３】本考案の一実施形態による焼肉用コンロの一部を示す拡大図である。
【図４】本考案の一実施形態による焼肉用コンロの回転ベースと回転ユニットとを組み合わせた状態を示す断面図である。
【図５】本考案の一実施形態による焼肉用コンロの回転ベースおよび回転ユニットを示す平面図である。
【図６】本考案の一実施形態による焼肉用コンロの使用状態を示す斜視図である。
【符号の説明】
【００２９】
１      枠体
２      回転ベース
３      回転ユニット
１１    歯車
１２    第１の歯部
１３    モータ
１４    回転軸
１５    水受け槽
１６    網
１７    リンク部材
１８    脚
１９    トップカバー
２１    支持アーム
２２    貫通孔
２３    差込部
２４    位置決め部材
２５    凹溝
３１    第２の歯部
３２    第１の差込孔
３３    第２の差込孔
３４    位置決め部
１４１  螺接部材
１５１  排水孔
１５２  栓
１６１  支脚
１７１  テーブル板
１９１  透孔
１９２  挟持部材
１９３  延長アーム
２１１  支持端部
Ａ      木炭
Ｂ      水
Ｃ      食材
Ｄ      串
【図１】
0003148377.tif 000003
【図２】
0003148377.tif 000004
【図３】
0003148377.tif 000005
【図４】
0003148377.tif 000006
【図５】
0003148377.tif 000007
【図６】
0003148377.tif 000008